(57)【要約】      （修正有）【課題】屋上等に敷き並べて土のない場所でも植物の育成が可能である緑化トレイ同士を結合するための結合部材を提供する。【解決手段】緑化トレイ２を前後左右に敷き並べ、近接した緑化トレイ２の角部に形成された連結孔２１に、結合部材１を差し込んで使用する。結合部材１に設けた脚部１２が連結孔２１に挿入されると、脚部１２は一端頭部１１の径方向内方へ弾性変形しながら下方に押し下げられる。脚部１２が一杯に挿入されて結合部材１が装着された状態において頭部１１の径方向内方へ弾性変形していた脚部１２が元に戻り、係止爪１３が該連結孔２１の下端と係止されることで、緑化トレイ２同士が結合される。【選択図】図１
0003153562.tif 000002
【実用新案登録請求の範囲】
【請求項１】
各角部に、上端面及び下端面が開口していている連結孔が形成された多角形状の緑化トレイであって、この緑化トレイを前後左右に敷き並べたとき、各角部の連結孔が突き合わされることによって環状を形成する緑化トレイを結合するための結合部材であって、
結合部材の上端部には板状の頭部が形成され、
前記頭部には、付き合わされたとき環状を形成する連結孔のそれぞれに対応し、前記連結孔の上端から下端までの長さよりも長く、かつ連結孔内に挿入し得る形状で形成された脚部が、頭部下面から下方へ突出して形成され、
前記脚部には、前記連結孔の下端と係止可能な係止爪が、脚部下端部の側面に形成され、
脚部は係止爪の形成された側面と反対の側面方向に弾性変形しながら挿入され、脚部が連結孔に一杯に挿入されたとき係止爪が連結孔の下端と係止する
ことを特徴とする結合部材。
【考案の詳細な説明】
【技術分野】
【０００１】
本考案は、屋上等に敷き並べて土のない場所でも植物の育成が可能である緑化トレイ同士を結合するための結合部材に関する。
【背景技術】
【０００２】
従来、土のない屋上等を緑化するために使用される樹脂製の緑化トレイを並べる手段として、隣接する緑化トレイ同士を連結する連結部材を設置した後に、各連結部材と緑化トレイとをネジ止めにより固定していた。
【先行技術文献】
【特許文献】
【０００３】
【特許文献１】特開２００５−１３０２６
【考案の概要】
【考案が解決しようとする課題】
【０００４】
しかし、多数の緑化トレイを連結する場合に全ての連結部材をネジ止めすることは手間がかかり、準備に多大な時間が必要であった。
【課題を解決するための手段】
【０００５】
本考案は、上記課題を解決するため考案された緑化トレイの結合部材であって、各角部に、上端面及び下端面が開口していている連結孔が形成された多角形状の緑化トレイであって、この緑化トレイを前後左右に敷き並べたとき、各角部の連結孔が突き合わされることによって環状を形成する緑化トレイを結合するための結合部材であって、結合部材の上端部には板状の頭部が形成され、前記頭部には、付き合わされたとき環状を形成する連結孔のそれぞれに対応し、前記連結孔の上端から下端までの長さよりも長く、かつ連結孔内に挿入し得る形状で形成された脚部が、頭部下面から下方へ突出して形成され、前記脚部には、前記連結孔の下端と係止可能な係止爪が、脚部下端部の側面に形成され、脚部は係止爪の形成された側面と反対の側面方向に弾性変形しながら挿入され、脚部が連結孔に一杯に挿入されたとき係止爪が連結孔の下端と係止することを特徴とする。
【０００６】
本考案が結合しようとする緑化トレイは、屋上緑化等に用いられるものであって、複数の緑化トレイを前後左右に敷き並べることができるものである。緑化トレイは多角形状であり、矩形であってもよいし、六角形等の正多角形の形状であっても良い。
【０００７】
それぞれの緑化トレイの各角部には、上端面及び下端面が開口して形成された連結孔が形成されており、該連結孔に、本考案に係る結合部材に形成された脚部が挿入されて隣り合う緑化トレイ同士を結合するために使用される。
【０００８】
連結孔は、緑化トレイを角部を突き合わせて並べられることによって環状を形成することができる。
【０００９】
連結孔の上端は緑化トレイの上端よりも低い位置に形成されることが好ましい。このように形成されることによって結合部材を装着した場合に結合部材の頭部が緑化トレイの上方に突出することがなく植物の植栽作業に使用する紐等が引っ掛かることを防止することができる。
【００１０】
連結孔の下端は緑化トレイの下端よりも高い位置に形成されることが好ましい。このように形成されることによって、結合部材を装着した際に結合部材の脚部が緑化トレイの下端より下方に突出することがなく、脚部が地面等に摺れることによって磨耗することが防止することができる。
【００１１】
結合部材の上端部には板状の頭部が形成されており、好ましくは頭部上面が平坦な平板状に形成されていることが好ましい。頭部上面が平板状であることによって、結合部材を上方から連結孔に挿入して装着する際に、頭部上面を指で押下することが容易であり、結合部材の装着作業を効率的に行うことができる。
【００１２】
頭部は、連結孔の上端が緑化トレイの上端よりも低い位置に形成されている場合には、結合部材を連結孔に装着した際に連結孔の外縁よりも延出しないように形成されていることが好ましい。結合部材を装着しようとする際に、頭部が緑化トレイの上端に掛かかることによって装着できなくなることを防止するためである。
【００１３】
結合部材の頭部の下面には連結孔に挿入するための脚部が形成されている。脚部は、連結孔の上端から下端までの長さよりも長く形成されている。このような長さに形成されることによって、結合部材を連結孔に装着した際に脚部の下端が連結孔の下端よりも下方に突出し、後に説明する係止爪を連結孔の下端に係止可能に形成することができる。
【００１４】
また、脚部が、連結孔のうちに挿入し得る大きさに形成されることによって、脚部を連結孔に挿入することができる。脚部の幅は、脚部の長さ方向全体にわたって連結孔の内径よりも幅狭に形成されていることが好ましい。結合部材を連結孔に装着する場合に頭部の下面が連結孔の上端に接するまで、結合部材を押下することができるため、緑化トレイの使用中における結合部材の緩みを防止することができるからである。
【００１５】
脚部は頭部下面から下方へ突出して形成され、緑化トレイを敷き並べた際に、環状に配置された複数の連結孔に対応したそれぞれの位置に形成されている。例えば連結孔が各角部に形成された矩形の緑化トレイを前後左右に敷き並べると、異なる四つの緑化トレイの連結孔が環状に隣り合うこととなる。この場合、当該矩形の緑化トレイを結合する結合部材に形成された脚部は、四本の脚部が前記環状に隣りあった連結孔の位置に対応して環状に形成されることが望ましい。
【００１６】
また、脚部の下端部の側面には係止爪が形成されている。係止爪は、連結部材が連結孔に挿入されて装着された状態において、該連結孔の下端に係止されるため、脚部の側面から側面方向に突出して形成されており、係止爪上端面が水平に形成されていることが好ましい。
【００１７】
脚部は係止爪の形成された側面と反対の側面方向に弾性変形しながら挿入され、脚部が連結孔に一杯に挿入されたとき係止爪が連結孔の下端と係止することができる。
【００１８】
このように形成されることによって、装着された連結部材が外部からの衝撃によって連結孔から離脱することを防止し、緑化トレイを確実に結合することができる。
【考案の効果】
【００１９】
本考案によれば、緑化トレイを敷き並べた後に、結合部材を上方から連結孔に挿入し、押下するだけで簡単に近接し合う緑化トレイを固定することができる。
【図面の簡単な説明】
【００２０】
【図１】結合部材１及び環状に配置された連結孔２１の全体を示す図である。
【図２】結合部材１を装着する前の連結孔２１を緑化トレイ２の対角線に沿って切断した縦断面図である。
【図３】結合部材１を装着した状態の連結孔２１を緑化トレイ２の対角線に沿って切断した縦断面図と、係止爪１３付近の拡大図である。
【図４】結合部材１を装着した状態の連結孔２１を緑化トレイ２の背面方向から示した図である。
【図５】前後左右に敷き並べた複数の緑化トレイ２が、結合部材１の装着により互いに結合された様子を示した正面図である。
【考案を実施するための形態】
【００２１】
以下に、本考案の実施の形態について図を用いて詳細に説明する。
【００２２】
図１は、本考案に係る結合部材１の全体を示すと共に、結合部材１によって結合しようとする緑化トレイ２を前後左右に敷き並べた際に、近接した緑化トレイ２の角部に形成された連結孔２１が環状に配置された様子も示す。ここで、本実施例で結合部材１によって結合しようとする緑化トレイ２は図５に示すように正方形状ものを使用したので、図１に示されるように連結孔２１は四つが環状に配置されている。
【００２３】
結合部材１は、上端部に円板状の頭部１１と、該頭部１１の下面１１２から下方に突出し、頭部１１の中心を囲うように環状に形成された４本の脚部１２によって構成されている。また、それぞれの脚部１２の下端部には係止爪１３が、脚部１２の外側面よりも頭部１１の径方向外方へ突出するように形成されている。
【００２４】
また、頭部１１の中心には貫通孔１１３が形成されている。貫通孔１１３が形成されていることによって、緑化トレイ２の背面と地面との間に溜まった空気を脱気することができるため、溜まった空気によって緑化トレイ２が浮いて結合部材１による結合状態が不安定になることを防止することができる。
【００２５】
図２に示すように、脚部１２は環状に配置された連結孔２１に対応するように形成されており、結合部材１を連結孔２１の上方から押下することにより四つの脚部１２が、四つの連結孔２１にそれぞれ一本ずつ挿入可能となっている。
【００２６】
脚部１２の長さは連結孔２１の長さよりも長く形成されており、かつ、頭部１１の下面１１２から係止爪１３の上端面１３１までの長さが連結孔２１の長さよりも僅かに長くなるように形成されている。
【００２７】
これにより、図３に示すように脚部１２が連結孔２１に挿入されると、脚部１２は一端頭部１１の径方向内方へ弾性変形しながら下方に押し下げられる。脚部１２が一杯に挿入されて結合部材１が装着された状態において頭部１１の径方向内方へ弾性変形していた脚部１２が元に戻り、係止爪１３が該連結孔２１の下端２１２と係止される。
【００２８】
また、図３に示すように、脚部１２を連結孔２１に挿入して結合部材１を装着すると、頭部１１の中心線と四つの連結孔２１が形成する環の中心線はいずれも中心軸Ｘ上に形成される。
【００２９】
本実施例において、図３の拡大図に示すように、中心軸Ｘから係止爪１３の上端面１３１の外縁部までの径方向長さＲは、中心軸Ｘから環を形成する連結孔２１の側壁の内壁面２２までの径方向長さｒよりも長くなるように形成されている。
【００３０】
これにより、結合部材１を装着した際に、係止爪１３を確実に連結孔２１の下端２１２に係止することができる。なお、係止爪１３の上端面１３１は略水平面に形成されているため、係止された係止爪１３が外からの衝撃を受けて容易に離脱することはない。
【００３１】
なお、図３に示すように連結孔２１の上端２１１は緑化トレイ２の上端２０１よりも頭部１１の厚み分低い位置に形成されている。これによって、結合部材１を装着した場合に、結合部材１の頭部１１の上面１１１が緑化トレイ２の上端２０１とほぼ同一面内に位置するため、植物の植栽作業に使用する紐等が引っ掛かることを防止することができる。
【００３２】
また、連結孔２１の下端２１２は緑化トレイ２の下端２０２よりも係止爪１３の高さの２倍程度高い位置に形成されている。これによって、結合部材１を装着した際に結合部材１の脚部１２が緑化トレイ２の下端２０２より下方に突出することがなく、脚部１２が地面や異物等に摺れることによって磨耗することが防止することができる。
【００３３】
図４は、連結孔２１に結合部材１を装着した状態を緑化トレイ２の背面方向から示した図である。四つの係止爪１３が四つの連結孔２１のそれぞれの下端２１２に係止されることにより緑化トレイ２が結合されている。また、緑化トレイ２の最端部に形成された孔２０３は前述の連通孔１１３と連通しており、緑化トレイ２の背面と地面との間に溜まった空気は孔２０３及び連通孔１１３を通って脱気される。
【００３４】
図５には、前後左右に敷き並べられた緑化トレイ２が、連結孔２１に装着された結合部材１によって結合されている様子を示したものである。結合部材１は緑化トレイ１の角部に装着されているため場所をとることがない。また、連結孔２１の上方向から脚部１２を挿入して押下するだけで緑化トレイ２を結合可能であるため、緑化の準備の簡略化に貢献できるものである。
【符号の説明】
【００３５】
１    結合部材
２    緑化トレイ
１１  頭部
１２  脚部
１３  係止爪
２１  連結孔
【図１】
0003153562.tif 000003
【図２】
0003153562.tif 000004
【図３】
0003153562.tif 000005
【図４】
0003153562.tif 000006
【図５】
0003153562.tif 000007